(57)【要約】電子装置及びランド・グリッド・アレイ（ＬＧＡ）モジュールを提供する。該電子装置は、下表面に第１の無線周波数パッド及び第１の非無線周波数パッドが設けられる第１のプリント回路板と、第２のプリント回路板を有する基板であって、第２のプリント回路板の上表面には第２の無線周波数パッド及び第２の非無線周波数パッドが設けられ、第１の無線周波数パッドと第２の無線周波数パッドとが接続され、第１の非無線周波数パッドと第２の非無線周波数パッドとが接続される、基板と、基板上に位置し第２の無線周波数パッドと接続されるアンテナであって、第１の無線周波数パッドのサイズは第１の非無線周波数パッドのサイズより小さく、第２の無線周波数パッドのサイズは第２の非無線周波数パッドのサイズよりも小さく、第１の無線周波数パッド及び第２の無線周波数パッドは、アンテナが送信する無線周波数信号をＬＧＡモジュールと基板との間で伝送するように構成される、アンテナと、を有する。ＬＧＡモジュールの無線周波数パッドはＬＧＡモジュールの頂面の空間を占用しないので、ＬＧＡモジュールの有効レイアウト空間が増大する。
2016502262.tif 000002
【特許請求の範囲】
【請求項１】
第１のプリント回路板を有するランド・グリッド・アレイ（ＬＧＡ）モジュールであって、前記第１のプリント回路板の下表面には第１の無線周波数パッド及び第１の非無線周波数パッドが設けられる、ＬＧＡモジュールと、
第２のプリント回路板を有する基板であって、前記第２のプリント回路板の上表面には第２の無線周波数パッド及び第２の非無線周波数パッドが設けられ、前記第１の無線周波数パッドと前記第２の無線周波数パッドとが接続され、前記第１の非無線周波数パッドと前記第２の非無線周波数パッドとが接続される、基板と、
前記基板上に位置し前記第２の無線周波数パッドと接続されるアンテナであって、前記第１の無線周波数パッドのサイズは前記第１の非無線周波数パッドのサイズより小さく、前記第２の無線周波数パッドのサイズは前記第２の非無線周波数パッドのサイズより小さく、前記第１の無線周波数パッド及び前記第２の無線周波数パッドは、前記アンテナが送信する無線周波数信号を前記ＬＧＡモジュールと前記基板との間で伝送するように構成される、アンテナと、
を備える、電子装置。
【請求項２】
前記第１の無線周波数パッド及び前記第２の無線周波数パッドの長さの範囲は０．４ｍｍ乃至１．２ｍｍであり、前記第１の無線周波数パッド及び前記第２の無線周波数パッドの幅の範囲は０．４ｍｍ乃至０．８ｍｍである、
請求項１に記載の電子装置。
【請求項３】
前記第１の無線周波数パッド及び前記第２の無線周波数パッドの長さは１．０ｍｍであり、前記第１の無線周波数パッド及び前記第２の無線周波数パッドの幅は０．６ｍｍである、
請求項２に記載の電子装置。
【請求項４】
前記第１の無線周波数パッド、前記第１の非無線周波数パッド及び前記第２の無線周波数パッドは矩形であり、前記第１の無線周波数パッドの長辺と前記第１の非無線周波数パッドの長辺とは平行であり、前記第１の無線周波数パッドの短辺と前記第１の非無線周波数パッドの短辺とは平行である、
請求項１乃至３のいずれか一項に記載の電子装置。
【請求項５】
前記第１の無線周波数パッド、前記第１の非無線周波数パッド及び前記第２の無線周波数パッドは矩形であり、前記第１の無線周波数パッドの短辺と前記第１の非無線周波数パッドの長辺とは平行であり、前記第１の無線周波数パッドの長辺と前記第１の非無線周波数パッドの短辺とは平行である、
請求項１乃至３のいずれか一項に記載の電子装置。
【請求項６】
前記第１のプリント回路板の下表面には更に第１の空回路網パッドが設けられ、前記第１の無線周波数パッドと前記第１の空回路網パッドとの間に予め設定された間隙が存在し、前記第１の無線周波数パッドと前記第１の空回路網パッドが共同で占用する領域のサイズ及び形状は、第１の非無線周波数パッドが占用する領域のサイズ及び形状と一致し、
前記第２のプリント回路板の上表面には第２の空回路網パッドが設けられ、前記第２の無線周波数パッドと第２の空回路網パッドとの間に予め設定された間隙が存在し、前記第１の空回路網パッドと前記第２の空回路網パッドとが接続される、
請求項１乃至５のいずれか一項に記載の電子装置。
【請求項７】
前記第１の無線周波数パッドと前記第１のプリント回路板の下表面のプリント配線との距離は０．２ｍｍより大きく、
前記第２の無線周波数パッドと前記第２のプリント回路板の上表面のプリント配線との距離は０．２ｍｍより大きい、
請求項１乃至６のいずれか一項に記載の電子装置。
【請求項８】
前記第１の無線周波数パッドと前記第１のプリント回路板の内部のプリント配線との距離は０．２ｍｍより大きい、
請求項１乃至７のいずれか一項に記載の電子装置。
【請求項９】
第１のプリント回路板を有するランド・グリッド・アレイ（ＬＧＡ）モジュールであって、前記第１のプリント回路板の下表面には第１の無線周波数パッドが設けられる、ＬＧＡモジュールと、
第２のプリント回路板を有する基板であって、前記第２のプリント回路板の上表面には第２の無線周波数パッドが設けられ、前記第１の無線周波数パッドと前記第２の無線周波数パッドとが接続され、前記第１の無線周波数パッド及び前記第２の無線周波数パッドの長さの範囲が０．４ｍｍ乃至１．２ｍｍであり、前記第１の無線周波数パッド及び前記第２の無線周波数パッドの幅の範囲は０．４ｍｍ乃至０．８ｍｍである、基板と、
前記基板上に位置し前記第２の無線周波数パッドと接続されるアンテナであって、前記第１の無線周波数パッド及び前記第２の無線周波数パッドは、前記アンテナが送信する無線周波数信号を前記ＬＧＡモジュールと前記基板との間で伝送するように構成される、アンテナと、
を備える、電子装置。
【請求項１０】
前記第１の無線周波数パッド及び前記第２の無線周波数パッドの長さは１．０ｍｍであり、前記第１の無線周波数パッド及び前記第２の無線周波数パッドの幅は０．６ｍｍである、
請求項９に記載の電子装置。
【請求項１１】
前記第１の無線周波数パッドと前記第１のプリント回路板の下表面のプリント配線との距離は０．２ｍｍより大きく、
前記第２の無線周波数パッドと前記第２のプリント回路板の上表面のプリント配線との距離は０．２ｍｍより大きい、
請求項９又は１０に記載の電子装置。
【請求項１２】
下表面に第１の無線周波数パッドが設けられる第１のプリント回路板であって、前記第１の無線周波数パッドの長さの範囲が０．４ｍｍ乃至１．２ｍｍであり、前記第１の無線周波数パッドの幅の範囲が０．４ｍｍ乃至０．８ｍｍである、第１のプリント回路板、
を備える、ランド・グリッド・アレイ（ＬＧＡ）モジュール。
【請求項１３】
前記第１の無線周波数パッドの長さは１．０ｍｍであり、前記第１の無線周波数パッドの幅は０．６ｍｍである、
請求項１２に記載のＬＧＡモジュール。
【請求項１４】
前記第１の無線周波数パッドと前記第１のプリント回路板の下表面のプリント配線との距離は０．２ｍｍより大きい、
請求項１２又は１３に記載のＬＧＡモジュール。
【請求項１５】
前記第１の無線周波数パッドと前記第１のプリント回路板の内部のプリント配線との距離は０．２ｍｍより大きい、
請求項１２乃至１４のいずれか一項に記載のＬＧＡモジュール。
【請求項１６】
下表面に第１の無線周波数パッド及び第１の非無線周波数パッドが設けられるプリント回路板であって、前記第１の無線周波数パッドのサイズは前記第１の非無線周波数パッドのサイズよりも小さい、プリント回路板、
を備える、ランド・グリッド・アレイ（ＬＧＡ）モジュール。
【請求項１７】
前記第１の無線周波数パッドの長さの範囲は０．４ｍｍ乃至１．２ｍｍであり、前記第１の無線周波数パッドの幅の範囲は０．４ｍｍ乃至０．８ｍｍである、
請求項１６に記載のＬＧＡモジュール。
【請求項１８】
前記第１の無線周波数パッドの長さは１．０ｍｍであり、前記第１の無線周波数パッドの幅は０．６ｍｍである、
請求項１７に記載のＬＧＡモジュール。
【請求項１９】
前記第１の無線周波数パッドと前記プリント回路板の下表面のプリント回路との距離は０．２ｍｍより大きい、
請求項１６乃至１８のいずれか一項に記載のＬＧＡモジュール。
【請求項２０】
前記第１の無線周波数パッドと前記プリント回路板の内部のプリント配線との距離は０．２ｍｍより大きい、
請求項１６乃至１９のいずれか一項に記載のＬＧＡモジュール。
【発明の詳細な説明】
【技術分野】
【０００１】
本発明は電子技術領域に関し、特に電子装置及びランド・グリッド・アレイモジュールに関する。
【背景技術】
【０００２】
ランド・グリッド・アレイ（Land  Grid  Array；ＬＧＡ）モジュールは、通信、車載、コンシューマー電子機器及びその他の特殊領域において、ますます広範に応用されている。ＬＧＡモジュールには総合的な機能が備えられる。例えば、ＬＧＡモジュールには通常、無線受信、信号処理、無線送信等の機能が備えられる。ＬＧＡモジュールは、プリント回路板（Printed  Circuit  Broad；ＰＣＢ）及びパッドを有する。ＬＧＡモジュールの配線密度が高いので、ＬＧＡモジュールのプリント回路板としては、通常、高密度相互接続（High  Density  Interconnect；ＨＤＩ）（ビルドアップ基板）のプリント回路板が用いられる。ＨＤＩプリント回路板は、媒質が比較的薄く、サイズが比較的小さく、部品間の距離を小さくすることができる。
【０００３】
ＬＧＡモジュールと接続されるアンテナには、一般に、主アンテナ、副アンテナ、全地球測位システム（Global  Positioning  System；ＧＰＳ）アンテナ等が含まれる。ＬＧＡモジュールの面積は非常に小さいので、アンテナを配置する十分な空間がない。したがって、アンテナは通常ＬＧＡモジュールと別々に基板上に配置される。このような構成には、どのようにしてアンテナとＬＧＡモジュールとを相互接続するかという問題がある。
【０００４】
従来技術では、アンテナはまず基板のプリント回路板の配線により、基板のＳＭＡ（Small  A  Type）コネクタに接続され、続いて電気ケーブルにより、ＬＧＡモジュールのＳＭＡコネクタに接続される。このように、基板上のアンテナとＬＧＡモジュールとの相互接続が実現される。
【０００５】
ＬＧＡモジュールが基板上に設置されると、ＬＧＡモジュールの底面と基板とが向かい合い、ＬＧＡモジュール上のＳＭＡコネクタがＬＧＡモジュールの頂面に配置される。ＬＧＡモジュールのＳＭＡコネクタは一定の表面積を占めるので、ＬＧＡモジュールの有効レイアウト空間が減少してしまう。
【発明の概要】
【発明が解決しようとする課題】
【０００６】
本発明の実施例は、ＬＧＡモジュールの有効レイアウト空間を増大することができる電子装置及びランド・グリッド・アレイモジュールを提供する。
【課題を解決するための手段】
【０００７】
第１の態様では、電子装置を提供する。本電子装置は、第１のプリント回路板を有するランド・グリッド・アレイ（Land  Grid  Array；ＬＧＡ）モジュールであって、第１のプリント回路板の下表面には第１の無線周波数パッド及び第１の非無線周波数パッドが設けられる、ＬＧＡモジュールと、第２のプリント回路板を有する基板であって、第２のプリント回路板の上表面には第２の無線周波数パッド及び第２の非無線周波数パッドが設けられ、第１の無線周波数パッドと第２の無線周波数パッドとが接続され、第１の非無線周波数パッドと第２の非無線周波数パッドとが接続される、基板と、基板上に位置し第２の無線周波数パッドと接続されるアンテナであって、第１の無線周波数パッドのサイズは第２の非無線周波数パッドのサイズより小さく、第２の無線周波数パッドのサイズは第１の非無線周波数パッドのサイズより小さく、第１の無線周波数パッド及び第２の無線周波数パッドは、アンテナが送信する無線周波数信号をＬＧＡモジュールと基板との間で伝送するように構成される、アンテナと、を備える。
【０００８】
第１の可能な実施形態では、第１の無線周波数パッド及び第２の無線周波数パッドの長さの範囲は０．４ｍｍ乃至１．２ｍｍであり、第１の無線周波数パッド及び第２の無線周波数パッドの幅の範囲は０．４ｍｍ乃至０．８ｍｍである。
【０００９】
第１の態様の第１の可能な実施形態と併せて、第２の可能な実施形態では、第１の無線周波数パッド及び第２の無線周波数パッドの長さは１．０ｍｍであり、第１の無線周波数パッド及び第２の無線周波数パッドの幅は０．６ｍｍである。
【００１０】
第１の態様又は第１の態様の上記可能な実施形態のうち任意の１つと併せて、第３の可能な実施形態では、第１の無線周波数パッド、第１の非無線周波数パッド及び第２の無線周波数パッドは矩形であり、第１の無線周波数パッドの長辺と第１の非無線周波数パッドの長辺とは平行であり、第１の無線周波数パッドの短辺と第１の非無線周波数パッドの短辺とは平行である。
【００１１】
第１の態様又は第１の態様の上記可能な実施形態のうち任意の１つと併せて、第４の可能な実施形態では、第１の無線周波数パッド、第１の非無線周波数パッド及び第２の無線周波数パッドは矩形であり、第１の無線周波数パッドの短辺と第１の非無線周波数パッドの長辺とは平行であり、第１の無線周波数パッドの長辺と第１の非無線周波数パッドの短辺とは平行である。
【００１２】
第１の態様又は第１の態様の上記可能な実施形態のうち任意の１つと併せて、第５の可能な実施形態では、第１のプリント回路板の下表面には更に第１の空回路網パッドが設けられ、第１の無線周波数パッドと第１の空回路網パッドとの間に予め設定された間隙が存在し、第１の無線周波数パッドと第１の空回路網パッドが共同で占用する領域のサイズ及び形状は、第１の非無線周波数パッドが占用する領域のサイズ及び形状と一致し、第２のプリント回路板の上表面には第２の空回路網パッドが設けられ、第２の無線周波数パッドと第２の空回路網パッドとの間に予め設定された間隙が存在し、第１の空回路網パッドと第２の空回路網パッドとが接続される。
【００１３】
第１の態様又は第１の態様の上記可能な実施形態のうち任意の１つと併せて、第６の可能な実施形態では、第１の無線周波数パッドと第１のプリント回路板の下表面のプリント配線（又はプリント回路）との距離は０．２ｍｍより大きく、第２の無線周波数パッドと第２のプリント回路板の上表面のプリント配線との距離は０．２ｍｍより大きい。
【００１４】
第１の態様の上記可能な実施形態のうち任意の１つと併せて、第７の可能な実施形態では、第１の無線周波数パッドと第１のプリント回路板の内部のプリント配線との距離は０．２ｍｍより大きい。
【００１５】
第２の態様では、電子装置を提供する。本電子装置は、第１のプリント回路板を有するランド・グリッド・アレイ（ＬＧＡ）モジュールであって、第１のプリント回路板の下表面には第１の無線周波数パッドが設けられる、ＬＧＡモジュールと、第２のプリント回路板を有する基板であって、第２のプリント回路板の上表面には第２の無線周波数パッドが設けられ、第１の無線周波数パッドと第２の無線周波数パッドとが接続され、第１の無線周波数パッド及び第２の無線周波数パッドの長さの範囲が０．４ｍｍ〜１．２ｍｍであり、第１の無線周波数パッド及び第２の無線周波数パッドの幅の範囲が０．４ｍｍ〜０．８ｍｍである、基板と、基板上に位置し第２の無線周波数パッドと接続されるアンテナであって、第１の無線周波数パッド及び第２の無線周波数パッドは、アンテナが送信する無線周波数信号をＬＧＡモジュールと基板との間で伝送するように構成される、アンテナと、を備える。
【００１６】
第１の可能な実施形態では、第１の無線周波数パッド及び第２の無線周波数パッドの長さは１．０ｍｍであり、第１の無線周波数パッド及び第２の無線周波数パッドの幅は０．６ｍｍである。
【００１７】
第２の態様又は第２の態様の第１の可能な実施形態と併せて、第２の可能な実施形態では、第１の無線周波数パッドと第１のプリント回路板の下表面のプリント配線との距離は０．２ｍｍより大きく、第２の無線周波数パッドと第２のプリント回路板の上表面のプリント配線との距離は０．２ｍｍより大きい。
【００１８】
第２の態様又は第２の態様の第１及び第2の可能な実施形態と併せて、第３の可能な実施形態では、第１のプリント回路板の下表面には更に第１の空回路網パッドが設けられ、第１の無線周波数パッドと第１の空回路網パッドとの間に予め設定された間隙が存在する。
【００１９】
第２の態様の上記可能な実施形態のうち任意の１つと併せて、第４の可能な実施形態では、第１の無線周波数パッドと第１のプリント回路板の内部のプリント配線との距離は０．２ｍｍより大きい。
【００２０】
第３の態様では、ランド・グリッド・アレイ（ＬＧＡ）モジュールを提供する。本ＬＧＡモジュールは、下表面に第１の無線周波数パッドが設けられる第１のプリント回路板であって、第１の無線周波数パッドの長さの範囲が０．４ｍｍ〜１．２ｍｍであり、第１の無線周波数パッドの幅の範囲が０．４ｍｍ〜０．８ｍｍである、第１のプリント回路板を有する。
【００２１】
第１の可能な実施形態では、第１の無線周波数パッドの長さは１．０ｍｍであり、第１の無線周波数パッドの幅は０．６ｍｍである。
【００２２】
第３の態様又は第３の態様の第１の可能な実施形態と併せて、第２の可能な実施形態では、第１の無線周波数パッドと第１のプリント回路板の下表面のプリント配線との距離は０．２ｍｍより大きい。
【００２３】
第３の態様又は第３の態様の上記可能な実施形態のうち任意の１つと併せて、第１の無線周波数パッドと第１のプリント回路板の内部のプリント配線との距離は０．２ｍｍより大きい。
【００２４】
第３の態様又は第３の態様の第１の可能な実施形態又は第２の可能な実施形態と併せて、第１のプリント回路板の下表面には更に第１の空回路網パッドが設けられ、第１の無線周波数パッドと第１の空回路網パッドとの間に予め設定された間隙が存在する。
【００２５】
第４の態様では、ランド・グリッド・アレイ（ＬＧＡ）モジュールを提供する。本ＬＧＡモジュールは、下表面に第１の無線周波数パッド及び第１の非無線周波数パッドが設けられるプリント回路板であって、第１の無線周波数パッドのサイズは第１の非無線周波数パッドのサイズよりも小さい、プリント回路板を有する。
【００２６】
第１の可能な実施形態では、第１の無線周波数パッドの長さの範囲は０．４ｍｍ〜１．２ｍｍであり、第１の無線周波数パッドの幅の範囲は０．４ｍｍ〜０．８ｍｍである。
【００２７】
第４の態様の第１の可能な実施形態と併せて、第２の可能な実施形態では、第１の無線周波数パッドの長さは１．０ｍｍであり、第１の無線周波数パッドの幅は０．６ｍｍである。
【００２８】
第４の態様又は第４の態様の上記可能な実施形態のうち任意の１つと併せて、第３の可能な実施形態では、第１の無線周波数パッドと第１のプリント回路板の下表面のプリント回路との距離は０．２ｍｍより大きい。
【００２９】
第４の態様又は第４の態様の上記可能な実施形態のうち任意の１つと併せて、第４の可能な実施形態では、第１の無線周波数パッドと第１のプリント回路板の内部のプリント配線との距離は０．２ｍｍより大きい。
【００３０】
本発明の実施例によれば、ＬＧＡモジュール上の無線周波数パッドを基板上の無線周波数パッドに接続することができ、基板上の無線周波数パッドをアンテナに接続することができる。よって、ＬＧＡモジュール上の無線周波数信号をアンテナに送信することができる。ＬＧＡモジュールの無線周波数パッドはＬＧＡモジュールの底面に位置するので、ＬＧＡモジュールの頂面の空間を占用しない。よって、ＬＧＡモジュールの有効レイアウト空間を増大することができる。
【図面の簡単な説明】
【００３１】
本発明の実施例の技術構成を更にはっきりと説明するために、以下、本発明の実施例において用いる添付の図面を簡単に説明する。明らかであるように、以下に説明する添付の図面は本発明の一部の実施例を示すものに過ぎない。当該技術分野の当業者であれば、創造的努力をせずとも、これらの図面に基づいてその他の図面を得られるであろう。
【図１Ａ】本発明の一実施例に係る電子装置を示す概略構成図である。
【図１Ｂ】図１Ａに示す実施例に係る電子装置を示す概略分解図である。
【図２Ａ】本発明の一実施例に係る非無線周波数パッド及び無線周波数パッドを示す概略図である。
【図２Ｂ】本発明の別の一実施例に係る非無線周波数パッド及び無線周波数パッドを示す概略図である。
【図２Ｃ】本発明の更に別の一実施例に係る非無線周波数パッド及び無線周波数パッドを示す概略図である。
【図２Ｄ】本発明の更に別の一実施例に係る非無線周波数パッド及び無線周波数パッドを示す概略図である。
【図３Ａ】本発明の一実施例に係る非無線周波数パッド、無線周波数パッド及び空回路網パッドを示す概略図である。
【図３Ｂ】本発明の別の一実施例に係る非無線周波数パッド、無線周波数パッド及び空回路網パッドを示す概略図である。
【図３Ｃ】本発明の更に別の一実施例に係る非無線周波数パッド、無線周波数パッド及び空回路網パッドを示す概略図である。
【図４】本発明の一実施例に係るＬＧＡモジュールのプリント回路板を示す概略横断面図である。
【図５】本発明の別の一実施例に係る電子装置を示す概略構成図である。
【図６】本発明の別の一実施例に係るＬＧＡモジュールを示す概略構成図である。
【図７】本発明の更に別の一実施例に係るＬＧＡモジュールを示す概略構成図である。
【図８】本発明の更に別の一実施例に係る電子装置を示す概略構成図である。
【発明を実施するための形態】
【００３２】
以下、本発明の実施例の図面と併せて、本発明の実施例の技術構成を明確且つ完全に説明する。しかしながら、説明される実施例は本発明の一部の実施例であり、全ての実施例ではない。当該技術分野の当業者が本発明の実施例に基づいて創作的努力なく得たその他の実施例は、すべて本発明の保護範囲に包含される。
【００３３】
ＬＧＡモジュールの有効レイアウト空間を増大するために、アンテナは、基板のプリント回路板上の配線により基板上の無線周波数パッドに接続され、且つ、基板の無線周波数パッドによりＬＧＡモジュールの無線周波数パッドに接続されてよい。これにより、アンテナとＬＧＡモジュールとの相互接続が実現される。ＬＧＡモジュール及び基板には、更に、非無線周波数信号を伝送するように構成されるパッド（以下、非無線周波数パッドと称する）が設けられてよい。非無線周波数パッドのサイズは一般に比較的大きく、例えば、長さは１．５ｍｍであってよく、幅は１．０ｍｍであってよい。一般に非無線周波数パッドのサイズが比較的大きいので、ＬＧＡモジュール及び基板の無線周波数パッドが非無線周波数パッドと同じサイズを有する場合、このような無線周波数パッドと、隣接する層又は同じ層のプリント回路（例えば銅板）との間では、大きな寄生容量が発生する。ＬＧＡモジュールの媒質の厚みが小さく、一方で無線周波数パッドの表面積が比較的大きいので、無線周波数パッドによって生じる寄生容量が大きくなる。無線周波数信号が無線周波数パッドを通ると、無線周波数信号の通路上で１つの比較的大きなコンデンサが並列に接続されることに相当し、インピーダンス不連続が引き起こされる。その結果、無線周波数信号の通路の挿入損失が比較的大きくなる。更に、インピーダンス不連続は高周波数信号に大きな影響を与えるので、低周波から高周波に至る広い範囲（例えば、第３世代移動通信システムをサポートするＬＧＡモジュールのアンテナの周波数範囲は０．５ＧＨｚ〜３ＧＨｚであり、ロング・ターム・エボリューション（ＬＴＥ）通信システムをサポートするＬＧＡモジュールのアンテナの周波数範囲は０．５ＧＨｚ〜４ＧＨｚである）において、インピーダンスの整合性が低下する。すなわちインピーダンス収束性が低下し、その結果、複数の周波数バンドのマッチングとスケジューリングが困難になる。
【００３４】
図１Ａは、本発明の一実施例に係る電子装置１００を示す概略構成図である。図１Ｂは、図１Ａの実施例に係る電子装置１００の概略分解図である。以下、図１Ａ及び図１Ｂを参照して本発明の電子装置１００を説明する。電子装置１００は、ランド・グリッド・アレイ（Land  Grid  Array；ＬＧＡ）モジュール１１０、基板１２０及びアンテナ１３０を有する。
【００３５】
ランド・グリッド・アレイ（Land  Grid  Array；ＬＧＡ）モジュール１１０は第１のプリント回路板１１３を有する。第１のプリント回路板１１３の下表面には、第１の無線周波数パッド１１１及び第１の非無線周波数パッド１１２が設けられる。
【００３６】
例えば、第１の無線周波数パッド１１１及び第１の非無線周波数パッド１１２は、第１のプリント回路板１１３の下表面に配置されてよい。本発明の実施例によれば、第１の無線周波数パッド１１１の外表面は、第１のプリント回路板１１３の下表面と同じ高さであってよいが、これに限定されない。例えば、第１の無線周波数パッド１１１の外表面は、第１のプリント回路板１１３の下表面と同じ高さでなくてよい（例えば、プリント回路板の下表面より高くてよく、又は低くてよい）。
【００３７】
基板１２０は第２のプリント回路板１２３を有し、第２のプリント回路板１２３の上表面には第２の無線周波数パッド１２１及び第２の非無線周波数パッド１２２が設けられる。第１の無線周波数パッド１１１と第２の無線周波数パッド１２１とが接続され、第１の非無線周波数パッド１１２と第２の非無線周波数パッド１２２とが接続される。
【００３８】
例えば、ＬＧＡモジュール１１０を基板１２０に取り付ける時に、ＬＧＡモジュール１１０上の第１の無線周波数パッド１１１と基板１２０上の第２の無線周波数パッド１２１とを（例えばはんだを用いて）はんだ付けし、第１の非無線周波数パッド１１２と第２の非無線周波数パッド１２２とをはんだ付けして、ＬＧＡモジュール１１０と基板１２０とを接触させてよい。基板１２０上の第２の無線周波数パッド１２１はＬＧＡモジュール１１０上の第１の無線周波数パッド１１１と対応し、第２の非無線周波数パッド１２２は第１の非無線周波数パッド１１２と対応する。第２の無線周波数パッド１２１の外表面は第２のプリント回路板１２３の上表面と同じ高さであってよいが、本発明の実施例はこれに限定されない。例えば、第２の無線周波数パッド１２１は、第２のプリント回路板１２３の上表面と同じ高さでなくてよい（例えば、プリント回路板の下表面よりも高いか又は低い）。
【００３９】
アンテナ１３０は基板１２０上に位置し、第２の無線周波数パッド１２１と接続される。ここで、第１の無線周波数パッド１１１のサイズは第１の非無線周波数パッド１１２のサイズより小さく、第２の無線周波数パッドのサイズは第２の非無線周波数パッド１２２のサイズより小さい。第１の無線周波数パッド１１１及び第２の無線周波数パッド１２１は、アンテナ１３０が送信する無線周波数信号をＬＧＡモジュール１１０と基板１２０との間で伝送するように構成される。第１の無線周波数パッド１１１のサイズは、第２の無線周波数パッド１２１のサイズと等しくてよい。ここで、第１の無線周波数パッド１１１及び第２の無線周波数パッド１２１のサイズは、第１の無線周波数パッド１１１及び第２の無線周波数パッド１２１のはんだ付け面の表面積を意味してよい。第１の非無線周波数パッド１１２のサイズは、第２の非無線周波数パッド１２２のサイズと等しくてよい。ここで、第１の非無線周波数パッド１１２のサイズ及び第２の非無線周波数パッド１２２のサイズは、第１の非無線周波数パッド１１２及び第２の非無線周波数パッド１２２のはんだ付け面の表面積を意味してよい。
【００４０】
例えば、アンテナ１３０は、基板１２０の第２のプリント回路板１２３上の配線１２４によって、基板１２０上の第２の無線周波数パッド１２１に接続されるが、本発明の実施例はこれに限定されない。例えば、アンテナ１３０は、第２のプリント回路板１２３から独立したリード線を用いて、基板１２０の第２の無線周波数パッド１２１に接続されてもよい。第１の非無線周波数パッド１１２は非無線周波数信号を伝送するように構成され、すなわち、無線周波数信号以外の信号を伝送してよい。
【００４１】
本発明の実施例によれば、ＬＧＡモジュール１１０を基板１２０に取り付ける時に、ＬＧＡモジュール１１０は、第１の無線周波数パッド１１１及び第２の無線周波数パッド１２１によって、基板１２０と接続されてよい。また、基板１２０は、配線又はリード線によって、アンテナ１３０と接続されてよい。これにより、ＬＧＡモジュール１１０とアンテナ１３０との相互接続が実現され、アンテナ１３０の送信する無線周波数信号がアンテナ１３０とＬＧＡモジュール１１０との間で伝送可能となる。
【００４２】
なお、本実施例における第２のプリント回路板は、少なくとも１層を有するプリント回路板であってよく、例えば単層のプリント回路板、２層のプリント回路板又は３層のプリント回路板であってよい。
【００４３】
本発明の実施例によれば、第１の無線周波数パッドのサイズと第２の無線周波数パッドのサイズは同じであり、また、第１の無線周波数パッドのサイズと第２の無線周波数パッドのサイズとには公差が存在してもよいことが分かる。第１の非無線周波数パッド１１２のサイズと第２の非無線周波数パッド１２２のサイズとは同じであり、また、第１の非無線周波数パッド１１２のサイズと第２の非無線周波数パッド１２２のサイズとには公差が存在してもよい。
【００４４】
本発明の実施例によれば、ＬＧＡモジュール上の無線周波数パッドを基板上の無線周波数パッドと接続し、基板上の無線周波数パッドをアンテナと接続することにより、ＬＧＡモジュール上の無線周波数信号をアンテナと接続することができる。ＬＧＡモジュールの無線周波数パッドはＬＧＡモジュールの底面に位置し、ＬＧＡモジュールの頂面の空間を占用しない。よって、ＬＧＡモジュールの有効レイアウト空間を増大することができる。
【００４５】
更に、本発明の実施例によれば、無線周波数パッドのサイズを非無線周波数パッドのサイズより小さく設定することにより、無線周波数パッドによって生じる電気容量を低減し、無線周波数回路のインピーダンス連続性を改善することができる。その結果、挿入損失が低減され、無線周波数感度が増大する。インピーダンス連続性が良好であるほど、広い周波数バンド範囲においてインピーダンス収束性が良好になり、その結果、周波数バンドのテストと調整が容易になる。
【００４６】
説明を簡単にするために、上述の実施例では、アンテナが１つであり、ＬＧＡモジュールには１つの無線周波数パッドと１つの非無線周波数パッドとが設けられ、基板には１つの無線周波数パッドが設けられる場合を説明した。当該技術分野の当業者であれば、ＬＧＡモジュール又は基板には、複数の無線周波数パッドと複数の非無線周波数パッドとが設けられてよいことが分かる。ＬＧＡモジュールの無線周波数パッドの数は、基板の無線周波数パッドの数と対応し、且つ、アンテナの数と対応する。非無線周波数パッドの数は、要件に従って設定されてよい。
【００４７】
本発明の実施例によれば、第１の無線周波数パッド１１１の表面積は第１の非無線周波数パッド１１２の表面積より小さく、第２の無線周波数パッド１２１の表面積は第１の非無線周波数パッド１１２の表面積より小さい。
【００４８】
例えば、第１の無線周波数パッド１１１の表面積は第２の無線周波数パッド１２１の表面積と同じであってよく、例えば、第１の無線周波数パッド１１１の表面積は第１の非無線周波数パッド１１２の表面積の１／２、１／３、１／４、１／５等であってよい。例えば、第１の非無線周波数パッド１１２の表面積は２．５ｍｍ２であり、第１の無線周波数パッド１１１の表面積は０．１ｍｍ２〜１．２ｍｍ２（例えば０．１ｍｍ２、０．２ｍｍ２、０．３ｍｍ２、０．４ｍｍ２、０．５ｍｍ２、０．６ｍｍ２、０．７ｍｍ２、０．８ｍｍ２、０．９ｍｍ２、１．０ｍｍ２、１．１ｍｍ２、１．２ｍｍ２）である。
【００４９】
本発明の実施例によれば、第１の無線周波数パッド１１１及び第２の無線周波数パッド１２１の長さの範囲は０．４ｍｍ〜１．２ｍｍであり、第１の無線周波数パッド１１１及び第２の無線周波数パッド１２１の幅の範囲は０．４ｍｍ〜０．８ｍｍである。
【００５０】
例えば、第１の無線周波数パッド１１１及び第２の無線周波数パッド１２１の長さは、０．４ｍｍ、０．５ｍｍ、０．６ｍｍ、０．７ｍｍ、０．８ｍｍ、０．９ｍｍ、１．０ｍｍ、１．１ｍｍ又は１．２ｍｍであってよい。例えば、第１の無線周波数パッド１１１及び第２の無線周波数パッド１２１の幅は、０．４ｍｍ、０．５ｍｍ、０．６ｍｍ、０．７ｍｍ又は０．８ｍｍであってよい。
【００５１】
本発明の実施例によれば、第１の無線周波数パッド１１１及び第２の無線周波数パッド１２１の長さは１．０ｍｍであり、第１の無線周波数パッド１１１及び第２の無線周波数パッド１２１の幅は０．６ｍｍである。このように、無線周波数信号が比較的広い範囲の周波数帯域（例えば０．７ＧＨｚ〜４ＧＨｚ）において良好なインピーダンス収束性を有することを保証することができる。
【００５２】
各種サイズの無線周波数パッドに対して行われる性能テストの結果によれば、無線周波数パッドのサイズが上述の範囲の最小サイズより小さい（例えば、上述の無線周波数パッドの長さ及び幅が０．４ｍｍより小さい）場合、ＬＧＡモジュールのイクイップメントテスト装置のコストが増大してしまう。無線周波数パッドのサイズが上述の範囲の最大サイズより大きい（例えば、上述の無線周波数パッドの長さが１．０ｍｍより大きく且つ幅が０．８ｍｍより大きい）場合、インピーダンス連続性が低下し、挿入損失が増大してしまう。
【００５３】
本発明の実施例によれば、第１の無線周波数パッド１１１、第１の非無線周波数パッド１１２及び第２の無線周波数パッド１２１は矩形であり、第１の無線周波数パッド１１１の長辺と第１の非無線周波数パッド１１２の長辺とは平行であり、第１の無線周波数パッド１１１の短辺と第１の非無線周波数パッド１１２の短辺とは平行である。
【００５４】
本発明の実施例によれば、第１の無線周波数パッド１１１、第１の非無線周波数パッド１１２及び第２の無線周波数パッド１２１は矩形であり、第１の無線周波数パッド１１１の短辺と第１の非無線周波数パッド１１２の長辺とは平行であり、第１の無線周波数パッド１１１の長辺と第１の非無線周波数パッド１１２の短辺とは平行である。
【００５５】
任意に、別の実施例として、ＬＧＡモジュール１１０の第１のプリント回路板１１３の下表面に、第１の空回路網パッドが設けられる。第１の無線周波数パッド１１１と第１の空回路網パッド（図１Ａには図示なし）との間には、予め設定された間隙が存在する。また、第１の無線周波数パッド１１１と第１の空回路網パッドとが共同で占用する領域のサイズ（第１の無線周波数パッド１１１と第１の空回路網パッドとの間の予め設定された間隙を含む）は、第１の非無線周波数パッドが占用する領域のサイズと一致し、第１の無線周波数パッド１１１と第１の空回路網パッドとが共同で占用する領域の形状（第１の無線周波数パッド１１１と第１の空回路網パッドとの間の予め設定された間隙の形状を含む）は、第１の非無線周波数パッドが占用する領域の形状と一致する。基板１２０の第２のプリント回路板１２３の上表面には、第２の空回路網パッド（図１Ａには図示なし）が設けられる。第２の無線周波数パッド１２１と第２の空回路網パッドとの間に予め設定された間隙が存在し、第１の空回路網パッドと第２の空回路網パッドとが接続される。無線周波数パッドと空回路網パッドとの間の予め設定された間隙のサイズは、無線周波数パッド及び空回路網パッドが製造プロセスの要件を満たすように設定されてよい。
【００５６】
無線周波数パッドのサイズが非無線周波数パッドのサイズよりも小さいので、そのように節約された空間は空回路網パッドの設置に用いることができ、空回路網パッドは、ＬＧＡモジュールのはんだ付けの信頼性を高めはんだ付け性能を保証するために用いることができる。更に、製造と取付けを簡便にするために、無線周波数パッドと空回路網パッドとが共同で占用する領域のサイズ及び形状は、非無線周波数パッドが占用する領域のサイズ及び形状と一致してよい。
【００５７】
本発明の実施例によれば、第１の無線周波数パッド１１１と第１のプリント回路板１１３の下表面のプリント配線との距離は、０．２ｍｍ（約８ミル）より大きく、第２の無線周波数パッド１２１と第２のプリント回路板１２３の上表面のプリント配線との距離は、０．２ｍｍより大きい。
【００５８】
換言すると、第１のプリント回路板において、無線周波数パッドから少なくとも０．２ｍｍの範囲にはプリント回路（例えば銅板）が配置されない。これにより、無線周波数パッドと隣接するプリント回路又はパッドとの間の寄生容量が減少することで、無線周波数信号のＬＧＡパッドにおけるインピーダンス不連続性が回避され、アンテナの無線周波数経路のインピーダンス連続性が保証される。
【００５９】
本発明の実施例によれば、第１の無線周波数パッド１１１と第１のプリント回路板１１３の内部のプリント配線との距離は、０．２ｍｍより大きい。プリント配線は、該無線周波数パッド上方の基準接地に位置してよい。このように、無線周波数信号のＬＧＡパッドにおけるインピーダンス不連続が回避される。
【００６０】
図２Ａは、本発明の一実施例に係る非無線周波数パッド及び無線周波数パッドを示す概略図である。図２Ａは、図１Ａに示す実施例に係るＬＧＡモジュールの非無線周波数パッド及び無線周波数パッドの例を示す。
【００６１】
図２Ａを参照する。非無線周波数パッド２１０及び無線周波数パッド２２０は、ＬＧＡモジュールの同じ側（すなわちＬＧＡモジュールの下表面）に配置されてよい。非無線周波数パッド２１０と無線周波数パッド２２０との間には、予め設定された間隙が設けられてよい。無線周波数パッド２２０及び非無線周波数パッド２１０は、直角の矩形である。無線周波数パッド２２０の長辺と非無線周波数パッド２１０の長辺とは平行であり、無線周波数パッド２２０の短辺と非無線周波数パッド２１０の短辺とは平行である。無線周波数パッドと非無線周波数パッドとの間の予め設定された間隙のサイズは、無線周波数パッド及び非無線周波数パッドが製造工程の要件を満たすように設定されてよい。
【００６２】
図２Ｂは、本発明の別の一実施例に係る非無線周波数パッド及び無線周波数パッドを示す概略図である。図２Ｂに示す非無線周波数パッド２３０と無線周波数パッド２４０は、図２Ａに示す非無線周波数パッド２１０と無線周波数パッド２２０にそれぞれ類似する。相違点は、無線周波数パッド２４０が角丸の矩形であることである。
【００６３】
図２Ｃは、本発明の更に別の一実施例に係る非無線周波数パッド及び無線周波数パッドを示す概略図である。図２Ｃは、図１Ａに示す実施例のＬＧＡモジュールの非無線周波数パッド及び無線周波数パッドの例を示す。
【００６４】
図２Ｃを参照する。非無線周波数パッド２３０及び無線周波数パッド２４０は、ＬＧＡモジュールの同じ側の表面（すなわちＬＧＡモジュールの下表面）に配置されてよい。非無線周波数パッド２５０及び無線周波数パッド２６０は、直角の矩形である。無線周波数パッド２６０の短辺と非無線周波数パッド２５０の長辺とは平行であり、無線周波数パッド２６０の長辺と非無線周波数パッド２５０の短辺とは平行である。
【００６５】
図２Ｄは、本発明の更に別の一実施例に係る非無線周波数パッド及び無線周波数パッドを示す概略図である。図２Ｄに示す非無線周波数パッド２７０と無線周波数パッド２８０は、図２Ｃに示す非無線周波数パッド２５０と無線周波数パッド２６０にそれぞれ類似する。相違点は、無線周波数パッド２８０が角丸の矩形であることである。
【００６６】
当該技術分野の当業者であれば、基板上の非無線周波数パッド及び無線周波数パッドは、ＬＧＡモジュール上の非無線周波数パッド及び無線周波数パッドに対応することが分かる。よって、基板上の非無線周波数パッド及び無線周波数パッドは、図２Ａ〜図２Ｄに示すＬＧＡモジュール上の非無線周波数パッド及び無線周波数パッドと類似の形状及び配置を備えるので、ここでの説明は省略する。
【００６７】
図３Ａは、本発明の一実施例に係る非無線周波数パッド、無線周波数パッド及び空回路網パッドを示す概略図である。図３Ａは、図１Ａに示す実施例に係るＬＧＡモジュールの非無線周波数パッド、無線周波数パッド及び空回路網パッドの例を示す。
【００６８】
図３Ａを参照する。無線周波数パッド３３０と空回路網パッド３２０との間には予め設定された間隙が存在し、無線周波数パッド３３０と空回路網パッド３２０とが共同で占用する領域のサイズ及び形状は、非無線周波数パッド３１０の占用する領域のサイズ及び形状と一致する。例えば、無線周波数パッド３３０及び空回路網パッド３２０が占用する領域（両者間の間隙を含む）の面積は、非無線周波数パッド３１０の面積と等しい。更に、無線周波数パッド３３０、空回路網パッド３２０及び非無線周波数パッド３１０は、すべて直角の矩形であってよい。
【００６９】
図３Ｂは、本発明の別の一実施例に係る非無線周波数パッド、無線周波数パッド及び空回路網パッドを示す概略図である。図３Ｂに示す非無線周波数パッド３４０、空回路網パッド３５０、無線周波数パッド３６０は、図３Ａに示す非無線周波数パッド３１０、空回路網パッド３２０、無線周波数パッド３３０と類似する。相違点は、無線周波数パッド３６０が角丸の矩形であることである。
【００７０】
図３Ｃは、本発明の更に別の一実施例に係る非無線周波数パッド、無線周波数パッド及び空回路網パッドを示す概略図である。図３Ｃは、図１Ａに示す実施例に係るＬＧＡモジュールの非無線周波数パッド、無線周波数パッド及び空回路網パッドの例を示す。
【００７１】
図３Ｃを参照する。無線周波数パッド３９０の２辺と空回路網パッド３８０との間には予め設定された間隙があり、無線周波数パッド３９０と空回路網パッド３８０とが共同で占用する領域のサイズ及び形状は、非無線周波数パッド３７０の占用する領域のサイズ及び形状と一致する。例えば、無線周波数パッド３９０と空回路網パッド３８０とが占用する領域（両者間の間隙を含む）の面積は、非無線周波数パッド３７０の面積と等しい。本実施例によれば、無線周波数パッド３９０及び非無線周波数パッド３７０の形状は、矩形であってよい。空回路網パッド３８０は、無線周波数パッド３９０を囲んでよく、又は部分的に囲んでよい。図３Ｃから分かるように、空回路網パッド３８０の構造はかぎ括弧形状（「）であってよく、すなわち、空回路網パッド３８０には開口が設けられてよい。また、空回路網パッド３８０の開口には無線周波数パッド３９０が位置してよい。
【００７２】
任意に、別の実施例として、図３Ｃに示す無線周波数パッド３９０の形状は、角丸の矩形に設定されてもよい。
【００７３】
基板上の非無線周波数パッド及び無線周波数パッドは、ＬＧＡモジュール上の非無線周波数パッド及び無線周波数パッドに対応することが分かる。よって、基板上の非無線周波数パッド及び無線周波数パッドは、図３Ａ〜図３Ｄに示すＬＧＡモジュール上の非無線周波数パッド及び無線周波数パッドと類似の形状及び配置を備えるので、ここでの説明は省略する。
【００７４】
図４は、本発明の一実施例に係るＬＧＡモジュールの多層プリント回路板４００の概略断面図を示す。多層プリント回路板４００は、図１に示す第１のプリント回路板１１３の例である。
【００７５】
多層プリント回路板４００の各層のプリント回路板は、基材４１０及びプリント回路４４０を有してよい。プリント回路４４０はプリント配線を有する。多層プリント回路板４００の底層プリント回路板の下表面は更に、無線周波数パッド４２０及び非無線周波数パッド４３０を有してよい。無線周波数パッド４２０と同一層のプリント配線との距離は、ｄ２より大きく設定される。無線周波数パッド４２０と同一層の非無線周波数パッド４３０との距離は、ｄ１より大きく設定される。無線周波数パッド４２０と、多層プリント回路板４００の底層プリント回路板以外の層のプリント配線との距離は、ｄ３より大きく設定される。例えば、無線周波数パッド４２０から上方に距離ｄ３の範囲内には、プリント配線が配置されなくてよい。本実施例によれば、底層プリント回路板のひとつ上の層のプリント回路板においてパッド４２０に対応する部分には、プリント回路は配置されない。距離ｄ１及びｄ３は等しくなるように設定されてよい。例えば、ｄ１＝ｄ３＝０．２ｍｍである。ｄ２は、製造プロセスの要件に従って設定されてよい。
【００７６】
特に、無線周波数パッド４２０の上方のプリント配線は、基準接地である。
【００７７】
図５は、本発明の別の一実施例に係る電子装置５００を示す概略構成図である。電子装置５００は、ランド・グリッド・アレイ（land  grid  array；ＬＧＡ）モジュール５１０、基板５２０及びアンテナ５３０を有する。
【００７８】
本発明の実施例によれば、ランド・グリッド・アレイ（land  grid  array；ＬＧＡ）モジュール５１０は第１のプリント回路板５１３を有し、第１のプリント回路板５１３の下表面には第１の無線周波数パッド５１１が設けられる。基板５２０は、第２のプリント回路板５２３を有する。第２のプリント回路板５２３の上表面には第２の無線周波数パッド５２１が設けられ、第１の無線周波数パッド５１１と第２の無線周波数パッド５２１とが接続される。第１の無線周波数パッド５１１及び第２の無線周波数パッド５２１の長さｄ５の範囲は、０．４ｍｍ〜１．２ｍｍである。第１の無線周波数パッド５１１及び第２の無線周波数パッド５２１の幅ｄ４の範囲は、０．４ｍｍ〜０．８ｍｍである。アンテナ５３０は基板５２０上に位置し、第２の無線周波数パッド５２１と接続される。第１の無線周波数パッド５１１及び第２の無線周波数パッド５２１は、アンテナが送信する無線周波数信号をＬＧＡモジュール５１０と基板５２０との間で伝送するように構成される。
【００７９】
本発明の実施例によれば、ＬＧＡモジュール上の無線周波数パッドを基板上の無線周波数パッドに接続し、基板上の無線周波数パッドをアンテナに接続することができる。これにより、ＬＧＡモジュール上の無線周波数信号をアンテナに伝送することができる。ＬＧＡモジュールの無線周波数パッドはＬＧＡモジュールの底面に位置し、ＬＧＡモジュールの頂面の空間を占用しない。よって、ＬＧＡモジュールの有効レイアウト空間を増大することができる。
【００８０】
更に、本発明の実施例によれば、無線周波数パッドの長さを０．４ｍｍ〜１．２ｍｍに設定し、無線周波数パッドの幅を０．４ｍｍ〜０．８ｍｍに設定することができる。これにより、ＬＧＡモジュールが基板への無線周波数信号伝送に用いられる時に、無線周波数パッドによって生じる寄生容量が低減され、無線周波数ループのインピーダンス連続性が改善される。その結果、挿入損失が低減され、無線周波数感度が増大する。インピーダンス連続性が良好であるほど、広い周波数バンド範囲においてインピーダンス収束性が良好になり、その結果、周波数バンドのテストと調整が容易になる。
【００８１】
本発明の実施例によれば、第１の無線周波数パッド５１１及び第２の無線周波数パッド５２１の長さは１．０ｍｍであり、第１の無線周波数パッド５１１及び第２の無線周波数パッド５２１の幅は０．６ｍｍである。このように、無線周波数信号が比較的広い範囲の周波数帯域（例えば０．７ＧＨｚ〜４ＧＨｚ）において良好なインピーダンス収束性を有することを保証することができる。
【００８２】
本発明の実施例によれば、第１の無線周波数パッド５１１と第１のプリント回路板の下表面のプリント配線との距離は０．２ｍｍより大きく、第２の無線周波数パッド５２１と第２のプリント回路板の上表面のプリント配線との距離は０．２ｍｍより大きい。
【００８３】
本発明の実施例によれば、第１の無線周波数パッド５１１と第１のプリント回路板の内部のプリント配線との距離は０．２ｍｍより大きい。プリント配線は、無線周波数パッドの上方の基準接地に位置してよい。このように、無線周波数信号のＬＧＡパッドにおけるインピーダンス不連続を回避することができる。
【００８４】
任意に、別の実施例として、第１のプリント回路板の下表面には更に第１の空回路網パッドが設けられ、第１の無線周波数パッドと第１の空回路網パッドとの間には予め設定された間隙が存在する。空回路網パッドは、ＬＧＡモジュールと基板とのはんだ付けの信頼性を高め、はんだ付け性能を保証するように構成されてよい。
【００８５】
図６は、本発明の別の一実施例に係るＬＧＡモジュール６００を示す概略構成図である。図６に示すＬＧＡモジュール６００は、図１Ａに示すＬＧＡモジュール１１０の例である。ＬＧＡモジュール６００は、プリント回路板６１０及び第１の無線周波数パッド６２０を有する。
【００８６】
本発明の実施例によれば、プリント回路板６１０の下表面には第１の無線周波数パッド６２０が設けられる。第１の無線周波数パッド６２０の長さｄ７の範囲は０．４ｍｍ〜１．２ｍｍであり、第１の無線周波数パッド６２０の幅ｄ６の範囲は０．４ｍｍ〜０．８ｍｍである。
【００８７】
例えば、第１の無線周波数パッド６２０はプリント回路板６１０の下表面に配置されてよい。第１の無線周波数パッド６２０の外表面はプリント回路板６１０の下表面と同じ高さであってよいが、本発明の実施例はこれに限定されない。例えば、第１の無線周波数パッド６２０の外表面は、プリント回路板６１０の下表面と同じ高さでなくてよい（例えば、プリント回路板の下表面より高いか又は低い）。
【００８８】
本発明の実施例によれば、基板上の無線周波数パッドを用いてアンテナに接続するために、ＬＧＡモジュールの底面（すなわち下表面）に無線周波数パッドを配置することができる。ＬＧＡモジュールの無線周波数パッドはＬＧＡモジュールの底面に位置し、ＬＧＡモジュールの頂面の空間を占用しない。よって、ＬＧＡモジュールの有効レイアウト空間を増大することができる。
【００８９】
更に、本発明の実施例によれば、無線周波数パッドの長さを０．４ｍｍ〜１．２ｍｍに設定し、無線周波数パッドの幅を０．４ｍｍ〜０．８ｍｍに設定することができる。これにより、ＬＧＡモジュールが基板への無線周波数信号伝送に用いられる時に、無線周波数パッドによって生じる寄生容量が低減され、無線周波数ループのインピーダンス連続性が改善される。その結果、挿入損失が低減され、無線周波数感度が増大する。インピーダンス連続性が良好であるほど、広い周波数バンド範囲においてインピーダンス収束性が良好になり、その結果、周波数バンドのテストと調整が容易になる。
【００９０】
例えば、第１の無線周波数パッド６２０の長さは、０．４ｍｍ、０．５ｍｍ、０．６ｍｍ、０．７ｍｍ、０．８ｍｍ、０．９ｍｍ、１．０ｍｍ、１．１ｍｍ又は１．２ｍｍであってよい。例えば、第１の無線周波数パッド６２０の幅は、０．４ｍｍ、０．５ｍｍ、０．６ｍｍ、０．７ｍｍ又は０．８ｍｍであってよい。
【００９１】
本発明の実施例によれば、第１の無線周波数パッド６２０の長さは１．０ｍｍであり、第１の無線周波数パッドの幅の０．６ｍｍである。
【００９２】
各種サイズの無線周波数パッドに対して行われる性能テストの結果によれば、無線周波数パッドのサイズが上述の範囲の最小サイズより小さい（例えば、上述の無線周波数パッドの長さ及び幅が０．４ｍｍより小さい）場合、ＬＧＡモジュールのイクイップメントテスト装置のコストが増大してしまう。無線周波数パッドのサイズが上述の範囲の最大サイズより大きい（例えば、上述の無線周波数パッドの長さが１．０ｍｍより大きく且つ幅が０．８ｍｍより大きい）場合、インピーダンス連続性が悪化し、挿入損失が増大してしまう。
【００９３】
本発明の実施例によれば、第１の無線周波数パッドと第１のプリント回路板の下表面のプリント配線との距離は、０．２ｍｍより大きい。
【００９４】
本発明の実施例によれば、第１の無線周波数パッドと第１のプリント回路板の内部のプリント配線との距離は、０．２ｍｍより大きい。無線周波数信号のＬＧＡパッドにおけるインピーダンス不連続が回避される。
【００９５】
換言すると、第１のプリント回路板において、無線周波数パッドから少なくとも０．２ｍｍの範囲にはプリント回路（例えば銅板）が配置されない。これにより、無線周波数パッドと隣接するプリント回路又はパッドとの間の寄生容量が減少することで、アンテナの無線周波数経路のインピーダンス連続性が保証される。
【００９６】
任意に、別の実施例として、第１のプリント回路板の下表面には更に第１の空回路網パッドが設けられ、第１の無線周波数パッドと第１の空回路網パッドとの間に予め設定された間隙が存在する。
【００９７】
無線周波数パッドのサイズが非無線周波数パッドのサイズよりも小さいので、そのように節約された空間は空回路網パッドの設置に用いることができ、空回路網パッドは、ＬＧＡモジュールのはんだ付けの信頼性を高めるために用いることができる。
【００９８】
図７は、本発明の更に別の一実施例に係るＬＧＡモジュール７００を示す概略構成図である。
【００９９】
本発明の実施例に係るＬＧＡモジュール７００はプリント回路板７１０を有し、プリント回路板の下表面には第１の無線周波数パッド７２０及び第１の非無線周波数パッド７３０が設けられる。第１の無線周波数パッド７２０のサイズは、第１の非無線周波数パッド７３０のサイズより小さい。
【０１００】
本発明の実施例によれば、第１の無線周波数パッド７２０の長さｄ７の範囲は０．４ｍｍ〜１．２ｍｍであり、第１の無線周波数パッド７２０の幅ｄ６の範囲は０．４ｍｍ〜０．８ｍｍである。
【０１０１】
本発明の実施例によれば、第１の無線周波数パッド７２０の長さｄ７は１．０ｍｍであり、第１の無線周波数パッドの幅ｄ６は０．６ｍｍである。このように、無線周波数信号が比較的広い範囲の周波数帯域（例えば０．７ＧＨｚ〜４ＧＨｚ）において良好なインピーダンス収束性を有することを保証することができる。
【０１０２】
本発明の実施例によれば、第１の無線周波数パッド７２０とプリント回路板７１０の下表面のプリント回路との距離は、０．２ｍｍより大きい。このように、無線周波数信号のＬＧＡパッドにおけるインピーダンス不連続性が回避され、アンテナの無線周波数経路のインピーダンス連続性が保証される。
【０１０３】
本発明の実施例によれば、第１の無線周波数パッドとプリント回路板７１０の内部のプリント配線との距離は、０．２ｍｍより大きい。このように、無線周波数信号のＬＧＡパッドにおけるインピーダンス不連続性を回避することができる。
【０１０４】
図８は、本発明の更に別の一実施例に係る電子装置８００を示す概略構成図である。電子装置８００は、ＬＧＡモジュール８１０、基板８２０、第１のアンテナ８３０（例えば主アンテナ）及び第２のアンテナ８４０（例えば副アンテナ）を有する。
【０１０５】
ＬＧＡモジュール８１０はプリント回路板８１５を有し、プリント回路板８１５の下表面には、無線周波数パッド８１１、無線周波数パッド８１３、非無線周波数パッド８１２及び非無線周波数パッド８１４が設けられる。非無線周波数パッド８１２は、ＬＧＡモジュール８１０のプリント回路板の下表面の１サイドに位置し、非無線周波数パッド８１４は、ＬＧＡモジュール８１０のプリント回路板の下表面の別のサイドに位置する。ＬＧＡモジュール８１０の下表面の各サイドには、複数の非無線周波数パッド８１２，８１４が配置されてよい。
【０１０６】
基板８２０はプリント回路板８２５を有し、プリント回路板８２５の上表面には、無線周波数パッド８２１、無線周波数パッド８２３、非無線周波数パッド８２２及び非無線周波数パッド８２４が設けられる。無線周波数パッド８２１、無線周波数パッド８２３、非無線周波数パッド８２２、非無線周波数パッド８２４は、それぞれ無線周波数パッド８１１、無線周波数パッド８１３、非無線周波数パッド８１２、非無線周波数パッド８１４と対応する。
【０１０７】
第１のアンテナ８３０は、プリント回路板８２５上の配線８２６を介して、無線周波数パッド８２１と接続される。第２のアンテナ８４０は、プリント回路板８２５上の配線８２７を介して、無線周波数パッド８２３と接続される。
【０１０８】
図８に示す実施例の無線周波数パッド８１１及び無線周波数パッド８１３は、ＬＧＡモジュールのプリント回路板の下表面の同じサイドに位置する。しかし、当該技術分野の当業者には当然ながら、無線周波数パッド８１１及び無線周波数パッド８１３は、要件（例えばアンテナの位置）に従って、ＬＧＡモジュールのプリント回路板の下表面の異なるサイドに位置してもよい。
【０１０９】
図８に示す実施例ではＬＧＡモジュールが２つの無線周波数パッドを有する場合のみを説明したが、アンテナが複数（例えば２つより多く）ある場合には、ＬＧＡモジュール上の無線周波数パッドは複数（例えば２つより多く）設けられてよいことが分かる。これに応じて、基板上の無線周波数パッドも複数（例えば２つより多く）設けられてよい。更に、図８に示す実施例ではＬＧＡモジュールのプリント回路板の下表面の各サイドに５つのパッドが示されているが、本発明の実施例はこれに限定されない。ＬＧＡモジュールのプリント回路板の下表面の各サイドには、ＬＧＡモジュールのサイズとパッドのサイズとに応じて、複数のパッドが配置されてよい。
【０１１０】
当該技術分野の当業者であれば、説明を簡潔にするために、上述のシステム、装置及びユニットの具体的な作業プロセスについては上述の方法実施例における対応プロセスを参照することができることが明らかに分かるので、ここでは説明を省略する。
【０１１１】
本願が提供するいくつかの実施例において、開示される装置は他の方式で実現されてよいことが分かる。例えば、上述の装置実施例は例示的なものに過ぎない。例えば、上記のユニットの分割は論理的機能の分割に過ぎず、実際に実施する場合には別の分割方式が採用されてよい。例えば、複数のユニット又はコンポーネントは、別のひとつのシステムとして組み合わされてよく、或いは一体化されてよい。或いは、一部の特徴は省略されてよく、或いは実行されなくてよい。更に、図示又は記載された相互結合又は直接結合又は通信接続は、いくつかのインターフェースを用いて実施されてよい。装置又はユニット間の関節結合又は通信接続は、電子的形式、機械的形式又はその他の形式で実施されてよい。
【０１１２】
上記で別々の要素として示されたユニットは、物理的に分離されてもされなくてもよい。ユニットとして示された要素は物理的なユニットであってもなくてもよく、１つの位置に位置しても、複数の回路網ユニットに分散されてもよい。本実施例の構成の目的を達成するために、実際の要件に基づいて全部ユニットの一部又は全部が選択されてよい。
【０１１３】
更に、本発明の各実施例に係る各機能ユニットが１つの処理ユニットに組み込まれてよく、各ユニットが物理的に単独で存在してもよく、２つ以上のユニットが１つのユニットに組み込まれてもよい。
【０１１４】
上記の説明は本発明の具体的な実施方式に過ぎず、本発明の保護範囲を限定するものではない。当該技術分野の当業者が本発明に開示された技術的範囲において容易に想到できる変更や置換は、すべて本発明の保護範囲に包含されるものとする。よって、本発明の保護範囲は特許請求の範囲の保護範囲に拠るものとする。
【図１Ａ】
2016502262.tif 000003
【図１Ｂ】
2016502262.tif 000004
【図２Ａ】
2016502262.tif 000005
【図２Ｂ】
2016502262.tif 000006
【図２Ｃ】
2016502262.tif 000007
【図２Ｄ】
2016502262.tif 000008
【図３Ａ】
2016502262.tif 000009
【図３Ｂ】
2016502262.tif 000010
【図３Ｃ】
2016502262.tif 000011
【図４】
2016502262.tif 000012
【図５】
2016502262.tif 000013
【図６】
2016502262.tif 000014
【図７】
2016502262.tif 000015
【図８】
2016502262.tif 000016
【手続補正書】
【提出日】平成27年4月28日(2015.4.28)
【手続補正１】
【補正対象書類名】特許請求の範囲
【補正対象項目名】全文
【補正方法】変更
【補正の内容】
【特許請求の範囲】
【請求項１】
下表面に第１の無線周波数パッドが設けられる第１のプリント回路板であって、前記第１の無線周波数パッドの長さの範囲が０．４ｍｍ乃至１．２ｍｍであり、前記第１の無線周波数パッドの幅の範囲が０．４ｍｍ乃至０．８ｍｍである、第１のプリント回路板、
を備える、ランド・グリッド・アレイ（ＬＧＡ）モジュール。
【請求項２】
前記第１の無線周波数パッドの長さは１．０ｍｍであり、前記第１の無線周波数パッドの幅は０．６ｍｍである、
請求項１に記載のＬＧＡモジュール。
【請求項３】
前記第１の無線周波数パッドと前記第１のプリント回路板の下表面のプリント配線との距離は０．２ｍｍより大きい、
請求項１又は２に記載のＬＧＡモジュール。
【請求項４】
前記第１の無線周波数パッドと前記第１のプリント回路板の内部のプリント配線との距離は０．２ｍｍより大きい、
請求項１乃至３のいずれか一項に記載のＬＧＡモジュール。
【請求項５】
請求項１乃至４のいずれか一項に記載のＬＧＡモジュールと、
第２のプリント回路板を有する基板であって、前記第２のプリント回路板の上表面には第２の無線周波数パッドが設けられ、前記第１の無線周波数パッドと前記第２の無線周波数パッドとが接続され、前記第２の無線周波数パッドの長さの範囲が０．４ｍｍ乃至１．２ｍｍであり、前記第２の無線周波数パッドの幅の範囲は０．４ｍｍ乃至０．８ｍｍである、基板と、
前記基板上に位置し前記第２の無線周波数パッドと接続されるアンテナであって、前記第１の無線周波数パッド及び前記第２の無線周波数パッドは、前記アンテナが送信する無線周波数信号を前記ＬＧＡモジュールと前記基板との間で伝送するように構成される、アンテナと、
を備える、電子装置。
【請求項６】
前記第２の無線周波数パッドの長さは１．０ｍｍであり、前記第２の無線周波数パッドの幅は０．６ｍｍである、
請求項５に記載の電子装置。
【請求項７】
前記第１の無線周波数パッドと前記第１のプリント回路板の下表面のプリント配線との距離は０．２ｍｍより大きく、
前記第２の無線周波数パッドと前記第２のプリント回路板の上表面のプリント配線との距離は０．２ｍｍより大きい、
請求項５又は６に記載の電子装置。
【請求項８】
下表面に第１の無線周波数パッド及び第１の非無線周波数パッドが設けられる第１のプリント回路板であって、前記第１の無線周波数パッドのサイズは前記第１の非無線周波数パッドのサイズよりも小さい、プリント回路板、
を備える、ランド・グリッド・アレイ（ＬＧＡ）モジュール。
【請求項９】
前記第１の無線周波数パッドの長さの範囲は０．４ｍｍ乃至１．２ｍｍであり、前記第１の無線周波数パッドの幅の範囲は０．４ｍｍ乃至０．８ｍｍである、
請求項８に記載のＬＧＡモジュール。
【請求項１０】
前記第１の無線周波数パッドの長さは１．０ｍｍであり、前記第１の無線周波数パッドの幅は０．６ｍｍである、
請求項９に記載のＬＧＡモジュール。
【請求項１１】
前記第１の無線周波数パッドと前記プリント回路板の下表面のプリント配線との距離は０．２ｍｍより大きい、
請求項８乃至１０のいずれか一項に記載のＬＧＡモジュール。
【請求項１２】
前記第１の無線周波数パッドと前記プリント回路板の内部のプリント配線との距離は０．２ｍｍより大きい、
請求項８乃至１１のいずれか一項に記載のＬＧＡモジュール。
【請求項１３】
請求項８乃至１２のいずれか一項に記載のＬＧＡモジュールと、
第２のプリント回路板を有する基板であって、前記第２のプリント回路板の上表面には第２の無線周波数パッド及び第２の非無線周波数パッドが設けられ、前記第１の無線周波数パッドと前記第２の無線周波数パッドとが接続され、前記第１の非無線周波数パッドと前記第２の非無線周波数パッドとが接続される、基板と、
前記基板上に位置し前記第２の無線周波数パッドと接続されるアンテナであって、前記第２の無線周波数パッドのサイズは前記第２の非無線周波数パッドのサイズより小さく、前記第１の無線周波数パッド及び前記第２の無線周波数パッドは、前記アンテナが送信する無線周波数信号を前記ＬＧＡモジュールと前記基板との間で伝送するように構成される、アンテナと、
を備える、電子装置。
【請求項１４】
前記第１のプリント回路板の下表面には更に第１の空回路網パッドが設けられ、前記第１の無線周波数パッドと前記第１の空回路網パッドとの間に予め設定された間隙が存在し、前記第１の無線周波数パッドと前記第１の空回路網パッドが共同で占用する領域のサイズ及び形状は、第１の非無線周波数パッドが占用する領域のサイズ及び形状と一致し、
前記第２のプリント回路板の上表面には第２の空回路網パッドが設けられ、前記第２の無線周波数パッドと第２の空回路網パッドとの間に予め設定された間隙が存在し、前記第１の空回路網パッドと前記第２の空回路網パッドとが接続される、
請求項１３に記載の電子装置。
【請求項１５】
前記第１の無線周波数パッドと前記第１のプリント回路板の下表面のプリント配線との距離は０．２ｍｍより大きく、
前記第２の無線周波数パッドと前記第２のプリント回路板の上表面のプリント配線との距離は０．２ｍｍより大きい、
請求項１３又は１４に記載の電子装置。
【国際調査報告】
2016502262.tif 000017
2016502262.tif 000018
2016502262.tif 000019
2016502262.tif 000020
2016502262.tif 000021
2016502262.tif 000022